(57)【要約】      （修正有）【課題】照明器具やその制御機器とリモコンとの関連付けを簡単迅速に行うことができる照明制御装置を提供する。【解決手段】短く１回押す等所要の操作が行なわれたときに、照明器具を制御する制御信号を送信する操作ボタンおよびこの操作ボタンが前記所要の方法とは相違する方法の長押しされたときに、アドレス設定信号を送信する壁スイッチ４と、遠隔操作ボタンに対応するアドレスを無線信号として送信するリモコン６と、操作ボタンとこれにより制御される照明器具のアドレス同士を関連付けたアドレス設定テーブルを記憶するメモリ、アドレス設定信号を受信したときに、メモリ手段に記憶されている関連情報を参照してこの操作ボタンのアドレスに関連付けられている操作ボタンのアドレスおよびその関連情報から制御対象となる照明器具を検出し、これら検出した照明器具に制御信号を送信して制御させる制御手段を有する照明コントローラ５とを具備している。【選択図】図１
2011070880.tif 000002
【特許請求の範囲】
【請求項１】
所要の操作が行なわれたときに、照明器具を制御する制御信号を送信する操作部およびこの操作部が前記所要の操作とは相違する方法により操作されたときに、アドレス設定信号を送信するアドレス設定信号送信手段を有する操作装置と；
遠隔操作部を有し、この遠隔操作部の操作によって少なくとも遠隔操作部に対応するアドレスを無線信号として送信する遠隔操作装置と；
前記操作部とこれにより制御される照明器具のアドレス同士を関連付けた操作部関連情報を記憶するメモリ手段、前記操作部からの制御信号と前記遠隔操作部からの無線信号とを受信する受信部、この受信部により前記アドレス設定信号を受信したときに、前記遠隔操作装置から送信された遠隔操作部のアドレスを受信すると、前記所要の操作とは相違する方法により操作された操作部のアドレスとこの遠隔操作部のアドレスとを関連付けるアドレス設定手段および前記操作部からの制御信号を受信したときに、前記メモリ手段に記憶されている操作部関連情報を参照してこの操作部のアドレスに関連付けられている照明器具を検出する一方、前記遠隔操作部からの無線信号を受信したときに、遠隔操作部のアドレスに関連付けられている操作部のアドレスおよび操作部関連情報から制御対象となる照明器具を検出し、これら検出した照明器具を送信して制御する制御手段を有する照明コントローラと；
を具備していることを特徴とする照明制御装置。
【発明の詳細な説明】
【技術分野】
【０００１】
本発明は、操作装置の一例である壁スイッチと遠隔制御（操作）装置の一例であるリモコン（リモートコントローラ）とを具備した照明制御装置に関する。
【背景技術】
【０００２】
一般に、この種の照明制御装置は、壁スイッチ、リモコンおよび照明コントローラを具備し、照明コントローラは、予め壁スイッチおよびリモコンにより制御される照明器具を特定するために、これら壁スイッチおよびリモコンと、照明器具のアドレスとを予め関連付けたアドレス設定テーブルを記憶するメモリを具備している。
【０００３】
そして、従来は、照明器具のアドレス設定を、この照明器具をＯＮ／ＯＦＦ制御等の制御を行うリレー等の制御端末器のディップスイッチにより行なっていた（例えば、特許文献１参照）。また、リモコンのアドレス設定もリモコンに一体に設けたディップスイッチにより行なっていた。あるいはアドレス設定器により、これら照明制御端末やリモコン、照明器具のアドレスを設定し、これらのアドレスを所要のグループ毎に関連付け、この関連付け情報をアドレス設定テーブルとして照明コントローラのメモリに記憶させている。
【先行技術文献】
【特許文献】
【０００４】
【特許文献１】特開平５−９５５８９号公報
【発明の概要】
【発明が解決しようとする課題】
【０００５】
しかしながら、このような従来の照明制御装置では、例えば室内の天井等所要の取付箇所に、複数の照明器具を取り付けた後には、これら照明器具同士や壁スイッチ等の配線状態が不明であるので、照明器具や壁スイッチ等のアドレスを決定すること自体が容易ではない。
【０００６】
また、リモコンと照明制御端末とをディップスイッチやアドレス設定器等により設定する作業は専門知識が必要であるので、一般のユーザには非常に困難である。このために、これらのアドレスの設定を変更する場合も一般のユーザには非常に困難である。
【０００７】
本発明はこのような事情を考慮してなされたもので、照明器具やその制御機器と遠隔操作装置（リモコン）との関連付けを簡単迅速に行うことができる照明制御装置を提供することを目的とする。
【課題を解決するための手段】
【０００８】
請求項１に係る照明制御装置は、所要の操作が行なわれたときに、照明器具を制御する制御信号を送信する操作部およびこの操作部が前記所要の操作とは相違する方法により操作されたときに、アドレス設定信号を送信するアドレス設定信号送信手段を有する操作装置と；遠隔操作部を有し、この遠隔操作部の操作によって少なくとも遠隔操作部に対応するアドレスを無線信号として送信する遠隔操作装置と；前記操作部とこれにより制御される照明器具のアドレス同士を関連付けた操作部関連情報を記憶するメモリ手段、前記操作部からの制御信号と前記遠隔操作部からの無線信号とを受信する受信部、この受信部により前記アドレス設定信号を受信したときに、前記遠隔操作装置から送信された遠隔操作部のアドレスを受信すると、前記所要の操作とは相違する方法により操作された操作部のアドレスとこの遠隔操作部のアドレスとを関連付けるアドレス設定手段および前記操作部からの制御信号を受信したときに、前記メモリ手段に記憶されている操作部関連情報を参照してこの操作部のアドレスに関連付けられている照明器具を検出する一方、前記遠隔操作部からの無線信号を受信したときに、遠隔操作部のアドレスに関連付けられている操作部のアドレスおよび操作部関連情報から制御対象となる照明器具を検出し、これら検出した照明器具を送信して制御する制御手段を有する照明コントローラと；を具備していることを特徴とする。
【０００９】
ここで操作装置とは、例えば照明器具をＯＮ／ＯＦＦ制御するＯＮ／ＯＦＦボタンを有する壁スイッチやスイッチ類等であり、遠隔操作装置とは例えば照明器具を遠隔制御するリモコン等である。また照明コントローラとは、これら壁スイッチやリモコンからの制御信号を受信したときに、この制御信号を、複数の照明器具のうち、壁スイッチやリモコンにより予め特定された特定の照明器具に与え、この照明器具を制御信号通りに制御させる中央制御装置である。
【００１０】
さらに、照明器具は、これを例えばＯＮ／ＯＦＦ制御するリレーや電子回路等の照明制御端末を一体または別体により設けており、この照明制御端末には、リモコンからの光制御信号を受光する受光部と、この受光部により受光した制御信号を照明コントローラに送信する送信部を備えている。
【００１１】
そして、操作部の所要の操作とは、例えばＯＮ／ＯＦＦスイッチを１度短く押す操作等であり、アドレス設定時の操作部の操作とは、この所要の操作とは相違する方法、例えばＯＮ／ＯＦＦスイッチの所定時間（３秒）以上の長押しや連打等である。
【００１２】
操作部と、これらによりそれぞれ制御される照明器具のアドレス同士を予め関連付ける関連付け情報は、例えばアドレス設定テーブルとして、照明コントローラのメモリ手段に記憶される。
【発明の効果】
【００１３】
本発明によれば、操作装置の操作部、遠隔操作装置の遠隔操作部、制御対象となる照明器具を簡単かつ迅速に関連付けることができる。
【図面の簡単な説明】
【００１４】
【図１】本発明の一実施形態に係る照明制御装置の構成を示す模式図。
【発明を実施するための形態】
【００１５】
以下、本発明の実施形態を添付図面に基づいて説明する。
【００１６】
図１は本発明の一実施形態の構成を示す模式図である。この図１に示すように照明制御装置１は、伝送線２に、複数の照明器具３，３，…、操作部の一例である壁スイッチ４、照明コントローラ５を電気的に接続している。また、照明器具３，３，…を遠隔制御する遠隔制御装置の一例であるリモコン（リモートコントローラ）６を具備している。
【００１７】
各照明器具３は、照明コントローラ５からの制御信号を受けて照明器具３の制御を行う図示省略の照明制御端末を具備している。照明制御端末はリレーや電子回路等であり、ＯＮ／ＯＦＦ制御や調光等の制御を行う。
【００１８】
壁スイッチ４は照明器具３，３，…をそれぞれ制御するための複数の操作部である操作ボタン４ａ，４ｂ，…，４ｎ（ｎは整数）を備えている。操作ボタン４ａ〜４ｎは、その操作方法によってシステムを制御モードからアドレス設定モードに切り替えることができる。
【００１９】
通常は、制御モードに設定されており、操作ボタン４ａ〜４ｎの少なくともいずれか１つを、例えば短く１回押したときに、操作ボタンに対応したアドレスとともに、ＯＮ／ＯＦＦや調光等の所要の制御信号を伝送線２を介して照明コントローラ５に伝送する。
【００２０】
アドレス設定モードは、操作ボタン４ａ〜４ｎの少なくともいずれか１つを所要時間（例えば３秒以上）長押ししたときや連打したときに、制御モードから切り替わり、制御信号を出力せずにアドレス設定信号を伝送線２を介して照明コントローラ５に伝送する。
【００２１】
リモコン６は、遠隔操作部の一例である複数の遠隔操作ボタンを備えており、これらの例えば押下げ操作等所要の操作時に、自己の遠隔操作ボタンに対応するアドレスとともに、ＯＮ／ＯＦＦや調光等所要の制御信号が例えば赤外線等により無線で照明コントローラ５に送信される。
【００２２】
照明コントローラ５は、通信手段、メモリ、制御手段およびアドレス設定手段を具備している。通信手段は、壁スイッチ４からの制御信号およびアドレス設定信号と、リモコン６からの赤外線等の制御信号を受信する受信部と、制御信号を所定の照明器具３，３，…の照明制御端末に選択的に送信する送信部を具備している。
【００２３】
アドレス設定手段は、壁スイッチ４の操作ボタン４ａ〜４ｎの少なくともいずれか１つが長押しされたときに出力されるアドレス設定信号を受信部により受信すると、一定時間設定モードに入り、設定モード時にリモコン６の遠隔操作ボタンからの制御信号を受信したときに、このリモコン６の遠隔操作ボタンのアドレスを、長押しされた壁スイッチ４の操作ボタンのアドレスと関連付ける。
【００２４】
メモリはアドレス設定テーブルを記憶している。このアドレス設定テーブルは、壁スイッチ４の各操作ボタン４ａ〜４ｎおよびリモコン６の各遠隔操作ボタンのアドレスと、複数の照明器具３，３，…の照明制御端末のアドレスとを、これら照明制御端末を壁スイッチ４の操作ボタン４ａ〜４ｎとリモコン６の遠隔操作ボタンにより制御し得るように関連付けている。
【００２５】
制御手段は、壁スイッチ４の操作ボタン４ａ〜４ｎの少なくともいずれか１つからの制御信号、または、リモコン６の遠隔操作ボタンからの遠隔制御信号を、受信部により受信したときに、これら操作ボタン４ａ〜４ｎまたは遠隔操作ボタンのアドレスと関連付けられている照明制御端末のアドレスを、アドレス設定テーブルを参照することにより検出し、この検出した照明制御端末のアドレスに、上記受信部で受信した制御信号を選択的に送信する。
【００２６】
次に、この照明制御装置１の作用を説明する。
【００２７】
通常の制御モード時には、壁スイッチ４の所要の操作ボタン４ａ〜４ｎの少なくともいずれか１つが短く１回押されると、その押し操作された操作ボタン４ａ〜４ｎの少なくともいずれか１つからそのアドレス信号と共に制御信号が伝送線２に送出される。このために、このアドレス信号と制御信号は照明コントローラ５の受信部により受信される。
【００２８】
制御手段は、押し操作された操作ボタン４ａ〜４ｎの少なくともいずれか１つのアドレスに基づいてアドレス設定テーブルを参照し、この操作ボタンのアドレスに関連付けられている照明制御端末のアドレスを検出し、この検出されたアドレスの照明制御端末に、この制御信号を伝送線２を介して送信する。
【００２９】
このために、照明制御端末は制御信号通りに照明器具を制御する。
【００３０】
一方、壁スイッチ４の操作ボタン４ａ〜４ｎの少なくともいずれか１つが長押しされると、壁スイッチ４から長押しされた操作ボタンのアドレスとともにアドレス設定信号が伝送線２に出力され、照明コントローラ５の受信部により受信されると、照明コントローラ５はアドレス設定モードに入る。
【００３１】
このアドレス設定モード時に、リモコン６から送信された制御信号または、遠隔操作ボタンのアドレスが受信されると、照明コントローラ５のアドレス設定手段は、操作された壁スイッチ４の操作ボタン４ａ〜４ｎのアドレスと受信したリモコン６の遠隔操作ボタンのアドレスとを関連付ける。
【００３２】
このために、これ以降は、このリモコン６の遠隔操作ボタンは、このボタンのアドレスに関連付けされた壁スイッチ４の操作ボタンと同様の制御を行うことができる。
【００３３】
つまり、リモコン６の遠隔操作ボタンからの制御信号は照明コントローラ５において、上記壁スイッチ４の操作ボタン４ａ〜４ｎが操作されたときと同様の処理により、所定の照明制御端末に選択的に与えられ、照明器具を制御信号通りに制御する。
【００３４】
そして、一定時間が経過するとアドレス設定モードが解除され、一般の制御モードに復帰される。
【００３５】
したがって、この照明制御装置１によれば、壁スイッチ４の操作ボタン４ａ〜４ｎと照明制御端末とを、例えばグルーピング等の対応付けをしておけば、リモコン６の遠隔操作ボタンのアドレスを、容易に設定することができ、リモコン６をあたかも壁スイッチ４の操作ボタン４ａ〜４ｎを操作するように、照明制御端末を制御することができる。このアドレス設定変更は、専門知識の無い一般ユーザによっても簡単かつ迅速に行うことができ、ディップスイッチやアドレス設定器により行う場合に比して簡単かつ迅速に行なうことができる。
【符号の説明】
【００３６】
１…照明制御装置、２…伝送線、３…照明器具、４…壁スイッチ、５…照明コントローラ、６…リモートコントローラ。
【図１】
2011070880.tif 000003